(57)【要約】【課題】簡易な設定で印刷出力された用紙のめくり易さを向上させることができる、印刷制御装置、印刷システム、画像形成装置及びプログラムを提供する。【解決手段】文書情報を取得する取得手段と、用紙の画像形成領域内であり且つ文書情報の画像が形成される領域以外の領域に、電子写真用の画像形成材料で形成された画像を付加する付加画像情報の設定を受け付ける受付手段と、取得手段で取得された文書情報及び受付手段で受け付けられた付加画像情報の設定に基づいて、付加画像が付加された文書画像を印刷するための印刷情報を生成する印刷情報生成手段と、を備えた印刷制御装置である。【選択図】図９
2012043091.tif 000002
【特許請求の範囲】
【請求項１】
文書情報を取得する取得手段と、
用紙の画像形成領域内であり且つ前記文書情報の画像が形成される領域以外の領域に、電子写真用の画像形成材料で形成された画像を付加する付加画像情報の設定を受け付ける受付手段と、
前記取得手段で取得された文書情報及び前記受付手段で受け付けられた付加画像情報の設定に基づいて、付加画像が付加された文書画像を印刷するための印刷情報を生成する印刷情報生成手段と、
を備えた印刷制御装置。
【請求項２】
印刷された付加画像が付加された文書画像に接触する接触指と前記電子写真用の画像形成材料で形成された画像との摩擦係数を、前記接触指と前記用紙との摩擦係数よりも大きくした、請求項１に記載の印刷制御装置。
【請求項３】
前記付加画像情報は、前記付加画像が形成される位置、前記付加画像の形状、前記付加画像の書式、及び前記付加画像を付加する電子写真用の画像形成材料の種類の何れかを含む、請求項１又は２に記載の印刷制御装置。
【請求項４】
前記付加画像が形成される位置として、前記用紙の前記文書情報の画像が形成される領域の周辺部の少なくとも一部が設定可能である請求項３に記載の印刷制御装置。
【請求項５】
前記付加画像が形成される位置として、前記用紙の画像形成領域の四隅の少なくとも１つが設定可能である請求項３又は４に記載の印刷制御装置。
【請求項６】
前記付加画像の書式として、塗りつぶし画像が設定可能である請求項３から請求項５までの何れか１項に記載の印刷制御装置。
【請求項７】
前記電子写真用の画像形成材料の種類として、透明トナーが設定可能である請求項３から請求項６までの何れか１項に記載の印刷制御装置。
【請求項８】
前記印刷情報生成手段により生成された印刷情報を画像形成装置に送信する送信手段を、更に備えた請求項１から請求項７までの何れか１項に記載の印刷制御装置。
【請求項９】
請求項８に記載の印刷制御装置と、
前記印刷制御装置と通信手段により接続され、前記印刷情報生成手段により生成された印刷情報に基づいて、用紙上に画像を形成する画像形成装置と、
を備えた印刷システム。
【請求項１０】
請求項１から請求項７までの何れか１項に記載の印刷制御装置と、
前記印刷制御装置の前記印刷情報生成手段により生成された印刷情報に基づいて、前記印刷情報を展開処理して画像データを生成する画像処理部と、
前記画像処理部で生成された画像データに基づいて、用紙に画像を形成する画像形成部と、
を備えた画像形成装置。
【請求項１１】
コンピュータを、
文書情報を取得する取得手段、
用紙の画像形成領域内であり且つ前記文書情報の画像が形成される領域以外の領域に、電子写真用の画像形成材料で形成された画像を付加する付加画像情報の設定を受け付ける受付手段、
前記取得手段で取得された文書情報及び前記受付手段で受け付けられた付加画像情報の設定に基づいて、付加画像が付加された文書画像を印刷するための印刷情報を生成する印刷情報生成手段、
として機能させるプログラム。
【発明の詳細な説明】
【技術分野】
【０００１】
本発明は、印刷制御装置、印刷システム、画像形成装置及びプログラムに関する。
【背景技術】
【０００２】
特許文献１には、プリンタに対する各種パラメータの設定を保持し、アプリケーションからの印刷データの変換を行うプリンタドライバにおいて、前記印刷データ中からユーザが指定した特定文字列を検出する特定文字列検出手段と、前記特定文字列検出手段により検出された前記特定文字列をコードに変換するコード変換手段と、前記コード変換手段によりコード化された該コードを前記印刷データに付与するコード付与手段と、前記プリンタにトナーセーブモードが設定されている場合、前記コード付与手段で付与された前記コードに対するトナーセーブ処理を選択的に禁止するトナーセーブ禁止制御手段とを具備することを特徴とするプリンタドライバが記載されている。
【０００３】
特許文献２には、複数の有色トナーと光沢度調整用の特殊色トナーを用いた印刷を印刷装置で行うためのジョブを送信する印刷制御装置であって、アプリケーションから受けたページ群のうち前記特殊色トナーを用いた印刷を行うページを指定する特殊色トナーページ指定手段と、前記特殊色トナーページ指定手段により指定されたページである特殊色トナーページと、前記ページ群における前記特殊色トナーページ指定手段で指定されなかったページである有色トナーページとを同一用紙の同一面に対して重ねて印刷するためのデータを含むジョブを生成するジョブ生成手段と、前記生成手段により生成されたジョブを前記印刷装置に対して送信する送信手段と、を有することを特徴とする印刷制御装置が記載されている。
【先行技術文献】
【特許文献】
【０００４】
【特許文献１】特開２００７−０３４６２０号公報
【特許文献２】特開２０１０−０２０５７８号公報
【発明の概要】
【発明が解決しようとする課題】
【０００５】
本発明の目的は、簡易な設定で印刷出力された用紙のめくり易さを向上させることができる、印刷制御装置、印刷システム、画像形成装置及びプログラムを提供することにある。
【課題を解決するための手段】
【０００６】
上記目的を達成するために各請求項に記載の発明は、下記構成を備えている。
【０００７】
請求項１に記載の発明は、文書情報を取得する取得手段と、用紙の画像形成領域内であり且つ前記文書情報の画像が形成される領域以外の領域に、電子写真用の画像形成材料で形成された画像を付加する付加画像情報の設定を受け付ける受付手段と、前記取得手段で取得された文書情報及び前記受付手段で受け付けられた付加画像情報の設定に基づいて、付加画像が付加された文書画像を印刷するための印刷情報を生成する印刷情報生成手段と、を備えた印刷制御装置である。
【０００８】
請求項２に記載の発明は、印刷された付加画像が付加された文書画像に接触する接触指と前記電子写真用の画像形成材料で形成された画像との摩擦係数を、前記接触指と前記用紙との摩擦係数よりも大きくした、請求項１に記載の印刷制御装置である。
【０００９】
請求項３に記載の発明は、前記付加画像情報は、前記付加画像が形成される位置、前記付加画像の形状、前記付加画像の書式、及び前記付加画像を付加する電子写真用の画像形成材料の種類の何れかを含む、請求項１又は２に記載の印刷制御装置である。
【００１０】
請求項４に記載の発明は、前記付加画像が形成される位置として、前記用紙の前記文書情報の画像が形成される領域の周辺部の少なくとも一部が設定可能である請求項３に記載の印刷制御装置である。
【００１１】
請求項５に記載の発明は、前記付加画像が形成される位置として、前記用紙の画像形成領域の四隅の少なくとも１つが設定可能である請求項３又は４に記載の印刷制御装置である。
【００１２】
請求項６に記載の発明は、前記付加画像の書式として、塗りつぶし画像が設定可能である請求項３から請求項５までの何れか１項に記載の印刷制御装置である。
【００１３】
請求項７に記載の発明は、前記電子写真用の画像形成材料の種類として、透明トナーが設定可能である請求項３から請求項６までの何れか１項に記載の印刷制御装置である。
【００１４】
請求項８に記載の発明は、前記印刷情報生成手段により生成された印刷情報を画像形成装置に送信する送信手段を、更に備えた請求項１から請求項７までの何れか１項に記載の印刷制御装置である。
【００１５】
請求項９に記載の発明は、請求項８に記載の印刷制御装置と、前記印刷制御装置と通信手段により接続され、前記印刷制御装置の前記印刷情報生成手段により生成された印刷情報に基づいて、用紙上に画像を形成する画像形成装置と、を備えた印刷システムである。
【００１６】
請求項１０に記載の発明は、請求項１から請求項７までの何れか１項に記載の印刷制御装置と、前記印刷制御装置の前記印刷情報生成手段により生成された印刷情報に基づいて、前記印刷情報を展開処理して画像データを生成する画像処理部と、前記画像処理部で生成された画像データに基づいて、用紙に画像を形成する画像形成部と、を備えた画像形成装置である。
【００１７】
請求項１１に記載の発明は、コンピュータを、文書情報を取得する取得手段、用紙の画像形成領域内であり且つ前記文書情報の画像が形成される領域以外の領域に、電子写真用の画像形成材料で形成された画像を付加する付加画像情報の設定を受け付ける受付手段、前記取得手段で取得された文書情報及び前記受付手段で受け付けられた付加画像情報の設定に基づいて、付加画像が付加された文書画像を印刷するための印刷情報を生成する印刷情報生成手段、として機能させるプログラムである。
【発明の効果】
【００１８】
本発明の各請求項に記載の発明によれば、以下の効果がある。
【００１９】
請求項１に記載の印刷制御装置によれば、簡易な設定で印刷出力された用紙のめくり易さを向上させることができる。
【００２０】
請求項２に記載の印刷制御装置によれば、用紙の種類に拘わらず、印刷出力された用紙のめくり易さを向上させることができる。
【００２１】
請求項３に記載の印刷制御装置によれば、印刷制御装置における簡易な設定で、印刷出力された用紙のめくり易さを向上させることができる。
【００２２】
請求項４に記載の印刷制御装置によれば、接触指による用紙の保持方向に拘わらず、印刷出力された用紙のめくり易さを向上させることができる。
【００２３】
請求項５に記載の印刷制御装置によれば、付加画像を付加する電子写真用の画像形成材料を節約することができる。
【００２４】
請求項６に記載の印刷制御装置によれば、本発明の構成を有しない場合に比べて、滑り止め効果を大きくすることができる。
【００２５】
請求項７に記載の印刷制御装置によれば、不可視の付加画像を付加することができる。
【００２６】
請求項８に記載の印刷制御装置によれば、印刷制御装置における簡易な設定で、この印刷制御装置に通信手段で接続された画像形成装置において、印刷出力された用紙のめくり易さを向上させることができる。
【００２７】
請求項９に記載の印刷システムによれば、印刷制御装置における簡易な設定で、この印刷制御装置に通信手段で接続された画像形成装置において、印刷出力された用紙のめくり易さを向上させることができる。
【００２８】
請求項１０に記載の画像形成装置によれば、画像形成装置内の印刷制御装置における簡易な設定で、印刷出力された用紙のめくり易さを向上させることができる。
【００２９】
請求項１１に記載のプログラムによれば、簡易な設定で印刷出力された用紙のめくり易さを向上させることができる。
【図面の簡単な説明】
【００３０】
【図１】端末装置及び画像形成装置の接続例を示す概略図である。
【図２】端末装置の機能構成図である。
【図３】画像形成装置の機能構成図である。
【図４】（Ａ）及び（Ｂ）は付加画像が付加された文書画像の印刷例を示す図である。
【図５】（Ａ）及び（Ｂ）は付加画像が付加された文書画像の印刷例を示す図である。
【図６】印刷設定画面の一例を示す模式図である。
【図７】付加画像が付加される位置を設定する位置設定画面の一例を示す模式図である。
【図８】付加画像の書式を設定する書式設定画面の一例を示す模式図である。
【図９】印刷制御装置で行われる処理ルーチンの一例を示すフローチャートである。
【図１０】（Ａ）〜（Ｆ）は付加画像の書式を例示する図である。
【発明を実施するための形態】
【００３１】
以下、図面を参照して本発明の実施の形態の一例を詳細に説明する。
【００３２】
＜端末装置及び画像形成装置の接続例＞
図１は端末装置及び画像形成装置の接続例を示す概略図である。本実施の形態に係る印刷システムでは、図１に示すように、端末装置１０と画像形成装置１２とが、通信手段１４を介して接続されている。なお、この接続例では、１つの端末装置１０と１つの画像形成装置１２とを図示しているが、これに限定されるわけではない。複数の端末装置１０と複数の画像形成装置１２とが、通信手段１４を介して互いに接続されていてもよい。
【００３３】
端末装置１０は、文書情報を取得し、取得した文書情報の画像を印刷するための印刷情報を生成する。そして、生成した印刷情報を、通信手段１４を介して画像形成装置１２に送信する。画像形成装置１２は、端末装置１０から受信した印刷情報に基づいて、頁単位でビットマップの画像データを生成し、生成した画像データに基づいて用紙上に画像を形成する。
【００３４】
上記の印刷情報は、例えば、ページ記述言語により記述されていてもよい。印刷情報は、印刷対象の画像を表すデータ、該画像の印刷条件を示す印刷設定情報等を含んで構成されている。本実施の形態では、印刷対象の画像は、電子写真用の画像形成材料（いわゆるトナー）で形成される画像（以下、「付加画像」という。）が付加された文書画像である。トナー像を用紙の周辺領域等に付加することにより、用紙に滑り止め効果が付与され、用紙がめくり易くなる。なお、印刷情報は、通常、複数頁分の文書画像を印刷するための印刷ジョブと称される単位毎に処理される。
【００３５】
また、通信手段１４は、公衆回線であってもよいし、インターネット、ＬＡＮ(Local Area Network)、ＷＡＮ(Wide Area Network)等のネットワークであってもよい。また、通信手段１４を、無線の通信手段としてもよいし、有線の通信手段としてもよい。
【００３６】
（端末装置１０の構成）
端末装置１０は、ＣＰＵ（Central Processing Unit）２０、ＲＯＭ（Read Only Memory）２２、ＲＡＭ（Random Access Memory）２４、ＨＤＤ（Hard Disk Drive）等の外部記憶装置２６、入力制御部２８、表示制御部３０、及び通信インタフェース３２を備えて構成されている。これら各部は、バス３４を介して接続されている。
【００３７】
ＣＰＵ２０は、中央演算処理装置であり、ＲＯＭ２２や外部記憶装置２６に記憶されているプログラム（例えば、印刷情報を生成して送信するためのプログラム）を実行し、端末装置全体の動作を制御する。ＲＯＭ２２や外部記憶装置２６には、ＣＰＵ２０が実行するプログラムやＣＰＵ２０の処理に必要な各種データ等が記憶されている。ＲＡＭ２４は、プログラムの実行時にワークメモリ等として使用される。
【００３８】
外部記憶装置２６には、端末装置１０のシステム制御を行うオペレーションシステム（ＯＳ：Ｏｐｅｒａｔｉｎｇ Ｓｙｓｔｅｍ）６０、アプリケーションソフト６２、印刷制御装置として機能するプリンタドライバ６４、各種データ等が記憶保持されている（図２参照）。プリンタドライバ６４の印刷制御装置としての機能については後述する。
【００３９】
外部記憶装置２６には、各種アプリケーションプログラムがインストールされている。アプリケーションソフト６２は、例えば、ワープロソフトや表計算ソフト等の各種アプリケーションプログラムである。端末装置１０では、アプリケーションソフト６２を読み出し、アプリケーションソフト６２をＣＰＵ２０が実行することによって、文書情報が作成される。例えば、ユーザの操作指示によりＣＰＵ２０がワープロソフトを外部記憶装置２６から読み出して実行し、ユーザにより所望の文書情報が作成される。
【００４０】
入力制御部２８は、端末装置１０に接続されたキーボードやマウス等の入力装置（図示せず）による操作信号の入力制御を行う。表示制御部３０は、端末装置１０に接続されたＣＲＴディスプレイや液晶ディスプレイ等の表示装置（図示せず）によるデータ信号や制御信号等の授受の制御を行う。通信インタフェース３２は、端末装置１０と他の外部の装置（例えば、画像形成装置１２）との間で、通信手段１４を介してデータ信号や制御信号等の授受の制御を行う。
【００４１】
表示装置には、ＣＰＵ２０の制御により、各種画像や各種情報が表示される。また、利用者が入力装置を操作することにより、各種情報が設定され、各種指示が入力される。本実施の形態では、後述する通り、表示装置には「印刷設定画面」が表示される。利用者が入力装置を操作することにより、「印刷設定画面」から「付加画像」を付加するための各種情報が設定され、各種指示が入力される。
【００４２】
（画像形成装置１２の構成）
画像形成装置１２は、ＣＰＵ４０、ＲＯＭ４２、ＲＡＭ４４、通信インタフェース４６、画像処理部４８、画像形成部５０、及びユーザインタフェース（ＵＩ）５２を備えて構成されている。これら各部は、バス５４を介して接続されている。
【００４３】
ＣＰＵ４０は、ＲＯＭ４２等に記憶されているプログラムを実行し、画像形成装置全体の動作を制御する。ＲＯＭ４２には、ＣＰＵ４０が実行するプログラムやＣＰＵ４０の処理に必要な各種データ等が記憶されている。ＲＡＭ４４は、プログラムの実行時にワークメモリ等として使用される。また、ＲＡＭ４４には、受信バッファの領域（図３の受信バッファ６１）、及びビットマップに展開された画像データ（ビットマップデータ）を保存するメモリ領域（図３の画像データメモリ６５）等が設けられている。
【００４４】
なお、ＣＰＵ４０が実行するプログラムを記憶するための記憶媒体は、ＲＯＭ４２に限定されるわけではない。例えば、ハードディスク等の外部メモリ（不図示）でもよく、フレキシブルディスクやＤＶＤディスク、光磁気ディスクやＵＳＢメモリ（ユニバーサルシリアルバスメモリ）等の可搬媒体（不図示）であってもよい。
【００４５】
通信インタフェース４６は、画像形成装置１２と他の外部の装置（例えば、端末装置１０）との間で、通信手段１４を介してデータ信号や制御信号等の授受の制御を行う。ＵＩ５２は、例えば、タッチパネルディスプレイ等で構成されており、ＵＩ５２を操作することで、利用者は各種情報を設定し、各種指示を入力する。また、ＣＰＵ４０の制御によりＵＩ５２に各種画像や各種情報が表示される。
【００４６】
画像処理部４８は、端末装置１０から受信した印刷情報に画像処理を施す。具体的には、端末装置１０から受信した印刷情報に基づいて展開処理を行い、頁単位でビットマップの画像データ（ラスタイメージデータ）を生成する。そして、画像データを画像形成部５０に出力する。画像形成部５０は、画像データが入力されると、入力された画像データに基づいて用紙上に画像を形成する。
【００４７】
ここでは、画像形成装置１２が、所謂タンデム型のデジタルカラープリンタである例について説明する。画像形成部５０は、画像データが入力されると、入力された画像データに基づいて記録用紙に画像を印刷するプリントエンジンである。
【００４８】
画像形成部５０は、並列に配置されるＹ画像形成ユニット、Ｍ画像形成ユニット、Ｃ画像形成ユニット、Ｋ画像形成ユニット、及びＩ画像形成ユニットの５つの画像形成ユニットを備えている。各画像形成ユニットの各々は、イエロー（Ｙ）、マゼンタ（Ｍ）、シアン（Ｃ）、黒（Ｋ）、透明（Ｉ）のトナー像を形成する。なお、透明（Ｉ）は、不可視（invisible）であることを意味する。
【００４９】
各画像形成ユニットは、静電潜像を形成してトナー像を保持する像保持体としての感光体、感光体の表面を設定電位に帯電する帯電器、帯電器によって帯電された感光体を画像データに応じて露光して静電潜像を形成する露光装置と、露光装置によって得られた静電潜像を現像する現像器、転写後の感光体ドラム表面を清掃するクリーナを備えている。
【００５０】
また、画像形成部５０は、中間転写ベルト、一次転写ユニット、二次転写ユニット、定着装置を含んで構成されている。各画像形成ユニットの現像器で現像された各色のトナー像が、画像形成ユニット毎に設けられた一次転写ユニットにより、各感光体から中間転写ベルトへ順次転写され重ね合わされる（一次転写）。次に、二次転写ユニットにより中間転写ベルト上の重畳トナー像が、搬送された記録用紙に一括転写される（二次転写）。そして、記録用紙に転写されたトナー像は、定着装置に搬送され、定着装置で記録用紙に定着される。トナー像が定着された記録用紙（記録済み用紙）は、排出部に排出される。
【００５１】
なお、上記では、画像形成部５０の具体例として、中間転写ベルトを用いたプリントエンジンを例示して説明したが、中間転写ベルトを介さず直接記録用紙にトナー像を転写するものであってもよい。また、タンデム型の電子写真方式のプリントエンジンを例示したが、これに限定される訳ではない。また、単色（例えば、Ｋ色）の画像を印刷するプリントエンジンであってもよい。
【００５２】
＜端末装置の機能構成＞
次に、端末装置１０上で各種処理を行うソフトウェアの構成について説明する。図２は端末装置の機能構成図である。図２に示すように、端末装置１０には、オペレーションシステム（ＯＳ）６０、アプリケーションソフト６２、及びプリンタドライバ６４がインストールされている。ＯＳ６０が、アプリケーションソフト６２及びプリンタドライバ６４の動作を管理している。アプリケーションソフト６２により作成された文書情報は、印刷指示を受けるとその印刷指示に従って、端末装置１０上のプリンタドライバ６４、通信インタフェース３２、通信手段１４を介して、画像形成装置１２に送信される。
【００５３】
本実施の形態では、プリンタドライバ６４は、文書情報を取得する「取得手段」、用紙の画像形成領域内であり且つ文書情報の画像が形成される領域以外の領域に、電子写真用の画像形成材料で形成された画像を付加する付加画像情報の設定を受け付ける「受付手段」、及び、文書情報及び受付手段で受け付けられた付加画像情報の設定に基づいて、付加画像が付加された文書画像を印刷するための印刷情報を生成する「印刷情報生成手段」として機能するように構成されている。このプリンタドライバ６４が行う印刷制御は、プリンタドライバ６４の設定画面で設定された設定情報に基づいて行われる。
【００５４】
上記の各機能は、端末装置１０のＣＰＵ２０がプログラムを実行することにより実現される。なお、本実施の形態では、各機能をソフトウェアにより実現する例について説明するが、各機能をハードウェアにより実現してもよい。
【００５５】
＜画像形成装置の機能構成＞
次に、画像形成装置１２のＣＰＵ４０がプログラムを実行することにより実現される機能構成について説明する。図３は画像形成装置の機能構成図である。なお、本実施の形態では、各機能をソフトウェアにより実現する例について説明するが、各機能をハードウェアにより実現してもよい。図３に示すように、画像形成装置１２は、通信インタフェース４６及び画像形成部５０の外に、受信バッファ６１、展開処理部６３、及び画像データメモリ６５を備えている。
【００５６】
受信バッファ６１は、端末装置１０から通信インタフェース４６を介して印刷情報を受信すると、受信した印刷情報を格納する。展開処理部６３は、受信バッファ６１に格納された印刷情報を解析し、印刷情報に基づいて頁単位で画像データを生成（展開）する。展開処理部６３で生成された画像データは、画像データメモリ６５に格納される。なお、展開処理部６３は、印刷情報に基づいて１頁目から最終頁まで順番に画像データを生成（展開）する。ここで、頁単位の画像データとは、用紙１枚に形成される画像を表す画像データである。
【００５７】
画像データメモリ６５に格納された画像データは、画像形成部５０に順次出力される。出力された画像データは、画像データメモリ６５から削除される。画像形成部５０は、入力された画像データに基づいて用紙７２上に画像を形成する。トナー像が形成された用紙（記録済み用紙）７０が、図示しない排出部に排出される。
【００５８】
本実施の形態では、記録済み用紙７０には、文書画像７６と付加画像７８とが形成されている。用紙７２の端部には、画像を形成することができない領域がある。従って、文書画像７６と付加画像７８とは、用紙７２の画像形成領域７４内に形成されている。付加画像７８は、画像形成領域７４の周辺部など、文書画像７６が形成されない領域に形成される。
【００５９】
後述するように、本実施の形態では、ヘッダー/フッター印刷機能により、付加画像７８が文書画像７６の外側（上下/左右の余白領域）に形成される例について説明する。なお、一般のヘッダー/フッター印刷では、左右の余白領域には印刷設定ができないが、本実施の形態では、後述する位置設定により、上下/左右の余白領域に付加画像７８が形成される。また、ヘッダー/フッター印刷等の既存の機能ではなく、別途「めくり機能」等の機能を追加してもよい。図３に示す例では、矩形状に塗りつぶされた（いわゆる「ベタ画像」の）付加画像７８が、画像形成領域７４の右上の隅に形成されている。
【００６０】
＜付加画像が付加された文書画像の印刷例＞
次に、付加画像の形状や付加画像が形成される位置について説明する。図３に示す例では、矩形状の付加画像７８は画像形成領域７４の右上の隅に形成されているが、付加画像７８の形状や形成位置はこれに限定される訳ではない。図４（Ａ）及び（Ｂ）、図５（Ａ）及び（Ｂ）は、何れも付加画像が付加された文書画像の印刷例を示す図である。
【００６１】
矩形状に塗りつぶされたベタ画像に代えて、図４（Ａ）に示すように、バーコード等の一次元コードやＱＲコード等の二次元コードの画像を、付加画像７８として印刷してもよい。また、図４（Ｂ）に示すように、文字、記号、文字及び/又は記号の列等の画像を、付加画像７８として印刷してもよい。この例では、斜体の文字「Ｘ」が、付加画像７８として印刷されている。
【００６２】
また、画像形成領域７４の右上の隅に代えて、図５（Ａ）に示すように、画像形成領域７４の周辺部の全部に付加画像７８を形成してもよい。即ち、文書画像７６を囲む枠状のベタ画像を、付加画像７８として印刷してもよい。また、図５（Ｂ）に示すように、画像形成領域７４の周辺部の一部に付加画像７８を形成してもよい。この例では、画像形成領域７４の四隅に、矩形状のベタ画像が付加画像７８として印刷されている。
【００６３】
上記では、付加画像の形状や付加画像が形成される位置の変形例について説明したが、用紙がめくり易くなるようになればよく、用紙７２のサイズや印刷方向等に応じて付加画像７８を形成してもよい。例えば、付加画像情報として、付加画像が形成される位置、付加画像の形状、付加画像の書式、及び付加画像を付加する電子写真用の画像形成材料の種類等を、設定するようにしてもよい。
【００６４】
＜付加画像情報の設定＞
次に、プリンタドライバ６４の設定情報に基づく印刷制御について説明する。プリンタドライバ６４が行う印刷制御は、プリンタドライバ６４の設定画面で設定された設定情報に基づいて行われる。図６は印刷設定画面の一例を示す模式図である。端末装置１０の利用者が、文書画像を印刷するために入力装置を操作して印刷指示を行うと、図６に示すように、印刷設定画面８０が表示装置に表示される。
【００６５】
印刷設定画面８０は、ヘッダー/フッター印刷を行うためのタブ８２を有している。タブ８２を選択すると、ヘッダー/フッター印刷の条件設定画面が表示される。基本、トレイ、詳細設定等の他のタブも表示されているが、ここではタブ８２を選択する場合しか説明しない。従って、図６に示すヘッダー/フッター印刷の条件設定画面を、印刷設定画面８０と称する。
【００６６】
印刷設定画面８０は、印刷項目を設定する印刷項目設定部８４、設定した印刷項目を印刷するか否かを選択するチェックボックス８６、設定した印刷項目を印刷する位置を設定する位置設定部８８、設定した印刷項目を印刷する書式を設定する書式設定部９０、ＯＫボタン等で構成された肯定指示を行う肯定指示部９２、及びキャンセルボタン等で構成された否定指示を行う否定指示部９４を備えている。
【００６７】
印刷項目設定部８４において「滑り止め」８４Ａを印刷項目として選択し、チェックボックス８６をチェックして「印刷する」を選択し、肯定指示を行う肯定指示部９２を選択することで、付加画像の印刷が設定される。なお、否定指示を行う否定指示部９４を行うと、これまでの選択が取り消され、印刷項目の選択からやり直すことになる。以下では、滑り止め８４Ａが印刷項目として選択され、付加画像の印刷が設定されている場合について説明する。
【００６８】
図７は付加画像が付加される位置を設定する位置設定画面の一例を示す模式図である。図６に示す印刷設定画面８０で位置設定部８８を選択すると、図７に示すように、付加画像を印刷する位置を設定する位置設定画面１００が表示される。位置設定画面１００は、付加画像を印刷する位置を設定する位置設定部１０２、付加画像が付加された文書画像の印刷例を予め表示するプレビュー部１０４、肯定指示部１０６、及び否定指示部１０８を備えている。
【００６９】
位置設定部１０２には、画像形成領域の上下/左右の端部の位置を選択する複数の位置選択ボタン１０２Ａが、文書画像と見立てた矩形領域を取り囲むように配置されている。この例では、位置設定部１０２において、右上角部の位置選択ボタン１０２Ａが選択されている。これに対応して、プレビュー部１０４には、矩形状の付加画像７８が用紙７２の画像形成領域の右上の隅に形成された印刷例が表示されている。ここで、肯定指示を行う肯定指示部１０６を選択すると、付加画像を印刷する位置が設定される。
【００７０】
図８は付加画像が付加される書式を設定する書式設定画面の一例を示す模式図である。図６に示す印刷設定画面８０で書式設定部９０を選択すると、図８に示すように、付加画像を印刷する書式を設定する書式設定画面１１０が表示される。書式設定画面１１０は、付加画像を印刷する書式を設定する書式設定部１１２、付加画像が付加された文書画像の印刷例を予め表示するプレビュー部１１４、肯定指示部１１６、及び否定指示部１１８を備えている。
【００７１】
書式設定部１１２には、付加画像を印刷する書式として、背景の色を選択する第１色選択部１１２Ａ、模様を選択する模様選択部１１２Ｂ、及び模様の色を選択する第２色選択部１１２Ｃを備えている。第１色選択部１１２Ａ、模様選択部１１２Ｂ、及び第２色選択部１１２Ｃの各々は、プルダウン等により選択肢を表示して、表示された選択肢の１つを選択するように構成してもよい。
【００７２】
この例では、書式設定部１１２において、背景の色として「白」が選択され、模様として「ベタ画像」が選択され、模様の色として「黒」が選択されている。これに対応して、プレビュー部１１４には、白地に黒のベタ画像で構成された矩形状の付加画像７８が、用紙７２の画像形成領域の右上の隅に形成された印刷例が表示されている。ここで、肯定指示を行う肯定指示部１１６を選択すると、付加画像を印刷する書式が設定される。
【００７３】
本実施の形態では、以上の通り、端末装置１０の表示装置には、印刷設定画面８０が表示される。利用者が入力装置を操作することにより、印刷設定画面８０から「付加画像」を付加するための付加画像情報（付加画像が形成される位置、付加画像の書式）が設定され、各種指示が入力される。プリンタドライバ６４は、これらの設定画面で設定された設定情報に基づいて印刷制御を行う。即ち、プリンタドライバ６４による設定項目に「滑り止め」を加えることで、利用者が任意の場所に簡便に滑り止め用のトナー画像を形成するようにして、印刷出力された用紙の「めくり易さ」を向上させている。
【００７４】
図９は印刷制御装置（図２のプリンタドライバ６４）で行われる処理ルーチン（印刷情報を生成して送信するためのプログラム）の一例を示すフローチャートである。上述した通り、印刷制御装置の各機能は、端末装置１０のＣＰＵ２０がプログラムを実行することにより実現される。図９に示すように、ステップ１００（Ｓ１００）で、印刷指示が行われたか否かを繰り返し判断する。即ち、ステップ１００で否定判定されると、再度、ステップ１００で、印刷指示が行われたか否かを判断する。
【００７５】
印刷指示が行われると、ステップ１００で肯定判定してステップ１０２に進む。ステップ１０２で、「滑り止め」が印刷項目として設定されたか否か、即ち、「付加画像」の印刷が設定されたか否かを繰り返し判断する。「付加画像」の印刷設定が行われると、ステップ１０２で肯定判定してステップ１０４に進む。ステップ１０４では、文書情報に付加画像情報を付与する。即ち、付加画像を付加するために設定された「付加画像情報」を、文書情報に添付する等して文書情報に関連付ける。
【００７６】
次に、ステップ１０６で、付加画像が付加された文書画像を印刷させるための印刷情報を生成する。例えば、文書情報がページ記述言語により記述されている場合には、付加画像が文書画像と共に印刷されるように、ページ記述言語の記述を書き換える。そして、次のステップ１０８で、生成した印刷情報を画像形成装置１２に送信して、ルーチンを終了する。これにより、画像形成装置１２では、端末装置１０から受信した印刷情報に基づいて画像形成が行われる。この結果、文書画像７６と付加画像７８とが形成された記録済み用紙７０が、画像形成装置１２から排出される（図３参照）。
【００７７】
なお、上記では、端末装置側の印刷制御装置（プリンタドライバ）による設定項目に「滑り止め」を加えることで、滑り止め用のトナー画像を形成するようにしたが、画像形成装置側に印刷制御装置の機能を加えてもよい。この場合は、画像形成装置で印刷や複写を行う際に、画像形成装置のユーザインタフェースから「滑り止め」の項目設定等を行えるようにする。
【００７８】
また、上記では、端末装置側の印刷制御装置（プリンタドライバ）による設定項目に「滑り止め」を加え、使用者の設定により、滑り止め用のトナー画像を形成するようにしたが、標準設定（デフォルト）として予め設定しておいて、事前設定に応じて滑り止め用のトナー画像を自動的に形成するようにしてもよい。全ての用紙の同じ箇所に自動で滑り止め用のトナー画像を形成すると、特に印刷指示を意識することなく全ての用紙についてめくり易さが向上する。なお、滑り止め用のトナー画像が形成された特殊用紙を予め用意し、トレイ選択等により特殊用紙を選択させるようにしてもよい。
【００７９】
また、上記では、滑り止め用のトナー画像を可視トナーによるベタ画像として形成する例について説明したが、用紙の端部に可視のトナー像が載ることで、文書の見た目が悪化する懸念が挙げられる。その対応として、透明トナーによる印画、ウォーターマークのような見えにくい処理を施した印画、デザイン性を加えて縁取りがめくり易さと文書の見た目を両立するような印画、バーコードのような情報を付加することでめくり易さと機能性を両立するような印画、ページ印刷と組み合わせて見た目の違和感を軽減する印画など、形成するトナー画像を工夫してもよい。
【００８０】
また、上記では、付加画像が付加された文書画像を印刷する例について説明したが、予め画像が形成された記録媒体に対し、その画像位置をスキャニング等の手段によって読み取り、画像が形成されていない領域に対し、付加画像を形成するように応用することもできる。同様に、予め画像が形成されないような領域（四隅等）に付加画像のみを文書情報とは独立して形成するように応用することも可能である。
【実施例】
【００８１】
以下に本発明を、実施例を挙げてより具体的に説明するが、本発明はこれらの実施例に限定されるものではない。
【００８２】
円形のトナー画像を用紙の端部に形成し、用紙のめくり易さを比較した。トナー画像については、模様、色、厚さ、グロスを以下のように種々変更した。模様については、図１０（Ａ）に示すベタ画像、図１０（Ｂ）に示す線状、図１０（Ｃ）〜（Ｅ）に示す格子状、図１０（Ｆ）に示すドット状等でトナー画像を形成した。
【００８３】
模様に関しては、画像部の摩擦係数が高い「ベタ画像」が一番めくり易く、線状、格子状、ドット状などの模様は、画像部に用紙（非画像部）が露出している分だけめくり難かった。
【００８４】
色に関しては、めくり易さにあまり影響を与えないことが分かった。ＹＭＣＫ色およびＲＧＢ色の各色において、めくり易さに差は無かった。なお、水色のようにハーフトーンで表される色はめくり難かったが、色ではなく模様の問題と考えられる。
【００８５】
厚さに関しては、めくり易さにあまり影響を与えないことが分かった。１層のトナーで形成される一次色と、２層以上のトナーを重ね合わせて形成される二次色とにおいて、めくり易さに差は無かった。
【００８６】
グロスに関しては、画像形成装置で汎用されているグロスの範囲では、めくり易さに差は無かった。
【００８７】
以上の結果から、トナーを用いて形成された画像部は摩擦係数が高く、手で触ったとき用紙の非画像部と比べて滑りにくいということが分かる。即ち、指とトナー像との間の摩擦係数が、指と用紙との間の摩擦係数よりも大きいために、用紙のめくり易さが向上する。このため、端部にトナーによる付加画像が印刷されている用紙は、端部に何も印刷されていない用紙と比べて、用紙がめくり易くなると考えられる。
【００８８】
摩擦係数は、画像形成材料の材質と表面形状に由来するため、模様がベタ画像の場合に一番めくり易くなるものと考えられる。摩擦係数を高くするには、トナーの種類の変更、ハイグロス化も有効である。
【００８９】
実際に、図１０（Ａ）に示すパターンで黒ベタの画像を印刷して、印画の有り無しで用紙のめくり易さを１００人の人に比較してもらう実験を行ったところ、９０％以上の人が「印画が有る方が用紙をめくり易い」との回答を示した。
【符号の説明】
【００９０】
１０ 端末装置
１２ 画像形成装置
１４ 通信手段
【図１】
2012043091.tif 000003
【図２】
2012043091.tif 000004
【図３】
2012043091.tif 000005
【図４】
2012043091.tif 000006
【図５】
2012043091.tif 000007
【図６】
2012043091.tif 000008
【図７】
2012043091.tif 000009
【図８】
2012043091.tif 000010
【図９】
2012043091.tif 000011
【図１０】
2012043091.tif 000012